(57)【要約】【課題】排ガスに面する部分の熱容量の増大を抑制しつつ軽量化を実現可能なタービンハウジングを提供する。【解決手段】タービンロータを収容するためのタービンハウジングであって、排ガスの入口が形成された入口フランジと、入口から流入した排ガスをタービンロータに導くよう構成された板金製のインナーハウジングと、インナーハウジングを通過した排ガスの出口が形成された出口フランジと、タービンロータを回転可能に支持する軸受を収容する軸受ハウジングに連結される軸受連結フランジと、インナーハウジングの外側に設けられた複数の支持部を含み、入口フランジ、出口フランジ及び軸受連結フランジを複数の支持部によって連結するよう構成されたアウターフレームと、を備える。【選択図】  図１
2018173031.tif 000002
【特許請求の範囲】
【請求項１】
タービンロータを収容するためのタービンハウジングであって、
排ガスの入口が形成された入口フランジと、
前記入口から流入した前記排ガスを前記タービンロータに導くよう構成された板金製のインナーハウジングと、
前記インナーハウジングを通過した前記排ガスの出口が形成された出口フランジと、
前記タービンロータを回転可能に支持する軸受を収容する軸受ハウジングに連結される軸受連結フランジと、
前記インナーハウジングの外側に設けられた複数の支持部を含み、前記入口フランジ、前記出口フランジ及び前記軸受連結フランジを前記複数の支持部によって連結するよう構成されたアウターフレームと、
を備えるタービンハウジング。
【請求項２】
前記複数の支持部は、前記入口フランジと前記出口フランジとを連結するよう構成された第１支持部、前記入口フランジと前記軸受連結フランジとを連結するよう構成された第２支持部、及び、前記出口フランジと前記軸受連結フランジとを連結するよう構成された第３支持部、のうち、２種以上の支持部を含む、請求項１に記載のタービンハウジング。
【請求項３】
前記アウターフレームを構成する材料は、前記インナーハウジングを構成する材料よりも耐酸化性に劣る、請求項１又は２に記載のタービンハウジング。
【請求項４】
前記インナーハウジングの外周面に沿って配置された断熱部を更に備える、請求項１乃至３の何れか１項に記載のタービンハウジング。
【請求項５】
前記断熱部は、シート材を含む、請求項４に記載のタービンハウジング。
【請求項６】
前記断熱部は、繊維系の断熱材を含む、請求項４又は５に記載のタービンハウジング。
【請求項７】
前記インナーハウジングのスクロール部の少なくとも一部を覆うように構成された防護壁部を更に備える、請求項１乃至６の何れか１項に記載のタービンハウジング。
【請求項８】
前記防護壁部は、前記タービンロータの周方向における全周に亘って前記スクロール部を覆うように構成された、請求項７に記載のタービンハウジング。
【請求項９】
前記防護壁部は前記支持部に支持された、請求項７又は８に記載のタービンハウジング。
【請求項１０】
前記複数の支持部と前記防護壁部とは、同一材料で一体的に形成された、請求項９に記載のタービンハウジング。
【請求項１１】
前記インナーハウジングのうち前記タービンロータのタービン翼の先端に対向するシュラウド部を前記インナーハウジングの外側から支持するよう構成されたシュラウド保持部を更に備える、請求項１乃至１０の何れか１項に記載のタービンハウジング。
【請求項１２】
前記シュラウド保持部を構成する材料は、前記アウターフレームを構成する材料よりも高温強度が高い、請求項１１に記載のタービンハウジング。
【請求項１３】
前記シュラウド保持部は前記支持部に支持された、請求項１１又は１２に記載のタービンハウジング。
【請求項１４】
前記アウターフレームと前記シュラウド保持部とは、同一材料で一体的に形成された、請求項１１に記載のタービンハウジング。
【請求項１５】
タービンロータと、請求項１乃至１４の何れか１項に記載のタービンハウジングとを備えるターボチャージャ。
【発明の詳細な説明】
【技術分野】
【０００１】
本開示は、タービンハウジング及びターボチャージャに関する。
【背景技術】
【０００２】
従来、エンジンから導入される排ガスのエネルギーを利用してタービンホイールを回転させ、このタービンホイールと同軸上に設けられているコンプレッサホイールを回転させることで吸気マニホールドに加圧空気を供給し、これにより出力の向上を図るターボチャージャが知られている。
【０００３】
また、ターボチャージャにおけるタービンハウジングの熱容量低減（エンジン始動時における排ガス浄化用触媒の昇温時間の短縮）や軽量化等のために、板金製のタービンハウジングが提案されている。
【０００４】
特許文献１には、渦巻状のスクロール部が配設されたタービンハウジングを、板金製の内側ハウジングと鋳造製の外側ハウジングとの二重構造で構成することが記載されている。また、かかる構成により、ターボチャージャの剛性及びコンテイメント性（損傷した内部部品の外部への飛び出しを防止する遮蔽性）を確保するとともに、内側ハウジングから漏れた排ガスのタービン外部への流出を外側ハウジングによって防ぐことができる旨が記載されている。
【先行技術文献】
【特許文献】
【０００５】
【特許文献１】特開平１１‐２２９８１５号公報
【発明の概要】
【発明が解決しようとする課題】
【０００６】
特許文献１に記載のタービンハウジングによれば、二重構造における内側ハウジングを板金製とすることにより、タービンハウジングのうち排ガスに面する部分の熱容量を小さくすることができるが、内側ハウジング全体を覆うように外側ハウジングが設けられているため、タービンの重量を増大させる要因となっていた。
【０００７】
本発明の少なくとも一実施形態は、上述したような従来の課題に鑑みなされたものであって、その目的とするところは、排ガスに面する部分の熱容量の増大を抑制しつつ軽量化を実現可能なタービンハウジング及びこれを備えるターボチャージャを提供することである。
【課題を解決するための手段】
【０００８】
（１）本発明の少なくとも一実施形態に係るタービンハウジングは、タービンロータを収容するためのタービンハウジングであって、排ガスの入口が形成された入口フランジと、前記入口から流入した前記排ガスを前記タービンロータに導くよう構成された板金製のインナーハウジングと、前記インナーハウジングを通過した前記排ガスの出口が形成された出口フランジと、前記タービンロータを回転可能に支持する軸受を収容する軸受ハウジングに連結される軸受連結フランジと、前記インナーハウジングの外側に設けられた複数の支持部を含み、前記入口フランジ、前記出口フランジ及び前記軸受連結フランジを前記複数の支持部によって連結するよう構成されたアウターフレームと、を備える。
【０００９】
上記（１）に記載のタービンハウジングによれば、板金製のインナーハウジングを用いることによって、タービンハウジングのうち排ガスに面する部分の熱容量の増大を抑制し、エンジン始動時における排ガス浄化用触媒の昇温時間を短縮することができる。
【００１０】
また、アウターフレームは、インナーハウジングの外側に設けられた複数の支持部によって入口フランジ、出口フランジ及び軸受連結フランジを連結しているため、特許文献１に記載されるような内側ハウジング全体を覆う外側ハウジングを設ける場合と比較して、タービンハウジングの軽量化及び低コスト化を実現することができる。
【００１１】
また、複数の支持部はインナーハウジングの外側に設けられていてインナーハウジングの内側を通る高温の排ガスに直接触れないため、アウターフレームの温度上昇を抑制することができ、アウターフレームの材料強度を高く保つことができる。したがって、アウターフレームの材料選択の自由度が高いというメリットもある。
【００１２】
（２）幾つかの実施形態では、上記（１）に記載のタービンハウジングにおいて、前記複数の支持部は、前記入口フランジと前記出口フランジとを連結するよう構成された第１支持部、前記入口フランジと前記軸受連結フランジとを連結するよう構成された第２支持部、及び、前記出口フランジと前記軸受連結フランジとを連結するよう構成された第３支持部、のうち、２種以上の支持部を含む。
【００１３】
上記（２）に記載のタービンハウジングによれば、上述の第１支持部、第２支持部及び第３支持部のうち２種以上の支持部によって、入口フランジ、出口フランジ及び軸受連結フランジを連結し、タービンハウジングの剛性を高めるとともに軽量化を実現することができる。
【００１４】
（３）幾つかの実施形態では、上記（１）又は（２）に記載のタービンハウジングにおいて、前記アウターフレームを構成する材料は、前記インナーハウジングを構成する材料よりも耐酸化性に劣る。
【００１５】
上記（３）に記載のタービンハウジングでは、複数の支持部はインナーハウジングの外側に設けられていてインナーハウジングの内側を通る高温の排ガスに直接触れないため、インナーハウジングを構成する材料よりも耐酸化性に劣る低級材をアウターフレームに使用しても、アウターフレームの腐食は生じにくい。したがって、タービンハウジングに要求される性能を満たしつつタービンハウジングの低コスト化を実現することができる。
【００１６】
（４）幾つかの実施形態では、上記（１）乃至（３）の何れかに記載のタービンハウジングにおいて、前記インナーハウジングの外周面に沿って配置された断熱部を更に備える。
【００１７】
インナーハウジングは、高温の排ガスによって短時間で昇温するため、インナーハウジングから外部への輻射熱の熱量は大きくなりやすい。そこで、上記（４）に記載のように、インナーハウジングの外周面に沿って配置された断熱部を設けることにより、輻射熱に起因するタービン性能の低下を抑制することができる。また、アウターフレームとともに断熱部を設けることで、断熱部の形状や剛性の自由度が高くなり、断熱部の施工が容易となる。
【００１８】
（５）幾つかの実施形態では、上記（４）に記載のタービンハウジングにおいて、前記断熱部は、シート材を含む。
【００１９】
上記（５）に記載のタービンハウジングによれば、インナーハウジングの外周面の広い範囲をシート材によって容易に覆うことができ、インナーハウジングからの輻射熱を効果的に断熱することができる。
【００２０】
（６）幾つかの実施形態では、上記（４）又は（５）に記載のタービンハウジングにおいて、前記断熱部は、繊維系の断熱材を含む。
【００２１】
上記（６）に記載のタービンハウジングによれば、繊維系の断熱材が内部に空気を含むため、重量の増大を抑制しつつインナーハウジングからの輻射熱を効果的に断熱することができる。
【００２２】
（７）幾つかの実施形態では、上記（１）乃至（６）の何れかに記載のタービンハウジングにおいて、前記インナーハウジングのスクロール部の少なくとも一部を覆うように構成された防護壁部を更に備える。
【００２３】
上記（７）に記載のタービンハウジングによれば、スクロール部の少なくとも一部を覆う防護壁部によって、ターボチャージャのコンテイメント性（損傷した内部部品の外部への飛び出しを防止する遮蔽性）を高めることができる。これにより、タービン翼がバーストしてもタービン翼の破片がタービンハウジングの外部へ飛び出すことを防止することができる。また、アウターフレームと防護壁部との併用により、防護壁部を必要な部分にのみ設けることができるため、タービンハウジングの軽量化及び低コスト化を実現することができる。
【００２４】
（８）幾つかの実施形態では、上記（７）に記載のタービンハウジングにおいて、前記防護壁部は、前記タービンロータの周方向における全周に亘って前記スクロール部を覆うように構成される。
【００２５】
上記（８）に記載のタービンハウジングによれば、全周に亘ってスクロール部を覆う防護壁部によって、ターボチャージャのコンテイメント性を一層高めることができる。これにより、タービン翼がバーストしてもタービン翼の破片がタービンハウジングの外部へ飛び出すことを効果的に防止することができる。
【００２６】
（９）幾つかの実施形態では、上記（７）又は（８）に記載のタービンハウジングにおいて、前記防護壁部は前記支持部に支持される。
【００２７】
上記（９）に記載のタービンハウジングによれば、タービン翼がバーストしてタービン翼の破片が防護壁部に衝突した場合に、防護壁部が受けた荷重が支持部に伝達され、タービン翼の破片を防護壁部及びアウターフレームによって効果的に受け止めることができる。
【００２８】
（１０）幾つかの実施形態では、上記（９）に記載のタービンハウジングにおいて、前記アウターフレームと前記防護壁部とは、同一材料で一体的に形成される。
【００２９】
上記（１０）に記載のタービンハウジングによれば、アウターフレームと防護壁部とを同一材料で一体的に形成することにより、タービンハウジングの部品点数を削減するとともにタービンハウジングの優れた製造性を実現することができる。
【００３０】
（１１）幾つかの実施形態では、上記（１）乃至（１０）の何れかに記載のタービンハウジングにおいて、前記インナーハウジングのうち前記タービンロータのタービン翼の先端に対向するシュラウド部を前記インナーハウジングの外側から支持するよう構成されたシュラウド保持部を更に備える。
【００３１】
インナーハウジングは板金製で変形しやすいため、高速回転するタービンロータのタービン翼の先端とインナーハウジングとの接触リスクや、タービン翼の先端とシュラウド部とのクリアランスの増大によるタービン性能の低下リスクがある。そこで、上記（１１）に記載のように、インナーハウジングの外側から支持するよう構成されたシュラウド保持部を設けることにより、インナーハウジングのシュラウド部の変形を抑制し、上記二つのリスクを低減することができる。
【００３２】
（１２）幾つかの実施形態では、上記（１１）に記載のタービンハウジングにおいて、前記シュラウド保持部を構成する材料は、前記アウターフレームを構成する材料よりも高温強度が高い。
【００３３】
上記（１１）に記載の構成では、シュラウド保持部はインナーハウジングの外側からシュラウド部を支持するため、高温となるシュラウド部からの伝熱の影響を受けやすい。そこで、上記（１２）に記載のように、シュラウド保持部を構成する材料の高温強度を、アウターフレームを構成する材料の高温強度より高くすることにより、シュラウド保持部の熱変形を抑制しつつ、アウターフレームに比較的安価な材料を使用して低コスト化を図ることができる。
【００３４】
（１３）幾つかの実施形態では、上記（１１）又は（１２）に記載のタービンハウジングにおいて、前記シュラウド保持部は前記支持部に支持される。
【００３５】
上記（１３）に記載のタービンハウジングによれば、タービンハウジングの構成を簡素化することができる。
【００３６】
（１４）幾つかの実施形態では、上記（１１）に記載のタービンハウジングにおいて、前記アウターフレームと前記シュラウド保持部とは、同一材料で一体的に形成される。
【００３７】
上記（１４）に記載のタービンハウジングによれば、アウターフレームとシュラウド保持部とを同一材料で一体的に形成することにより、タービンハウジングの部品点数を削減するとともにタービンハウジングの優れた製造性を実現することができる。
【００３８】
（１５）本発明の少なくとも一実施形態に係るターボチャージャは、タービンロータと、上記（１）乃至（１４）の何れかに記載のタービンハウジングとを備える。
【００３９】
上記（１４）に記載のターボチャージャによれば、上記（１）乃至（１４）の何れかに記載のタービンハウジングを備えるため、板金製のインナーハウジングを用いることによって、タービンハウジングのうち排ガスに面する部分の熱容量の増大を抑制し、エンジン始動時における排ガス浄化用触媒の昇温時間を短縮することができる。また、ターボチャージャの軽量化及び低コスト化を実現することができる。
【発明の効果】
【００４０】
本発明の少なくとも一つの実施形態によれば、排ガスに面する部分の熱容量の増大を抑制しつつ軽量化を実現可能なタービンハウジング及びこれを備えるターボチャージャが提供される。
【図面の簡単な説明】
【００４１】
【図１】一実施形態に係るターボチャージャ２（２Ａ）の回転軸線Ｏに沿った模式的な概略断面図である。
【図２】ターボチャージャ２（２Ａ）におけるタービンハウジング６の構成例を模式的に示す斜視図である。
【図３】一実施形態に係るターボチャージャ２（２Ｂ）の回転軸線Ｏに沿った模式的な概略断面図である。
【図４】一実施形態に係るターボチャージャ２（２Ｃ）の回転軸線Ｏに沿った模式的な概略断面図である。
【図５】一実施形態に係るターボチャージャ２（２Ｄ）の回転軸線Ｏに沿った模式的な概略断面図である。
【図６】シュラウド保持部４８の構成の一例を示す拡大図である。
【図７】シュラウド保持部４８の構成の他の一例を示す拡大図である。
【発明を実施するための形態】
【００４２】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００４３】
図１は、一実施形態に係るターボチャージャ２（２Ａ）の回転軸線Ｏに沿った模式的な概略断面図である。図２は、ターボチャージャ２（２Ａ）におけるタービンハウジング６の構成例を模式的に示す斜視図である。
【００４４】
図１に示すように、ターボチャージャ２は、タービンロータ４、タービンロータ４を収容するタービンハウジング６、タービンロータ４を回転可能に支持する軸受８、及び軸受８を収容する軸受ハウジング１０を備える。
【００４５】
タービンロータ４は、ハブ１２及びハブ１２の外周面に設けられた複数のタービン翼１４を含む。タービンハウジング６は、入口フランジ１６、インナーハウジング１８、出口フランジ２０、軸受連結フランジ２２、及びアウターフレーム２４を含む。入口フランジ１６には、排ガスの入口２６が形成されており、不図示のエンジンの排ガスが入口２６から流入するように構成されている。
【００４６】
インナーハウジング１８は、板金製であり、入口フランジ１６の入口２６から流入した排ガスをタービンロータ４のタービン翼１４に導くよう構成されている。インナーハウジング１８は、タービンロータ４の外周側に設けられたスクロール部２８と、タービン翼１４の先端３０に対向するシュラウド部３２と、タービン翼１４を通過した排ガスを出口フランジ２０に形成された排ガスの出口３４に導く出口側筒状部３６とを含む。図示する例示的形態では、インナーハウジング１８のスクロール部２８は、入口フランジ１６に溶接等の方法で固定されており、インナーハウジング１８の出口側筒状部３６は、出口フランジ２０に溶接等の方法で固定されている。
【００４７】
上記のように、板金製のインナーハウジング１８を用いることによって、タービンハウジング６のうち排ガスに面する部分の熱容量の増大を抑制し、エンジン始動時における排ガス浄化用触媒（不図示）の昇温時間を短縮することができる。
【００４８】
出口フランジ２０には、排ガスの出口３４が形成されており、インナーハウジング１８を通過した排ガスが出口３４から排出されるよう構成される。軸受連結フランジ２２は、軸受ハウジング１０に設けられた軸受側フランジ２３に締結具３８によって締結され、これによりタービンハウジング６と軸受ハウジング１０とが連結される。
【００４９】
次に、図１及び図２を用いてアウターフレーム２４の構成について説明する。図２は、タービンハウジング６の構成例を模式的に示す斜視図である。
【００５０】
幾つかの実施形態では、図１及び図２に示すように、アウターフレーム２４は、インナーハウジング１８の外側に設けられた複数の支持部４２を含み、入口フランジ１６、出口フランジ２０及び軸受連結フランジ２２を複数の支持部４２によって連結するよう構成されている。
【００５１】
また、アウターフレーム２４は、インナーハウジング１８の外側に設けられた複数の支持部４２によって入口フランジ１６、出口フランジ２０及び軸受連結フランジ２２を連結しているため、特許文献１に記載されるような内側ハウジング全体を覆う外側ハウジングを設ける場合と比較して、タービンハウジング６の軽量化及び低コスト化を実現することができる。
【００５２】
また、複数の支持部４２はインナーハウジング１８の外側に設けられていてインナーハウジング１８の内側を通る高温の排ガスに直接触れないため、アウターフレーム２４の温度上昇を抑制することができ、アウターフレーム２４の材料強度を高く保つことができる。したがって、アウターフレーム２４の材料選択の自由度が高いというメリットもある。なお、アウターフレーム２４は、入口フランジ１６、出口フランジ２０及び軸受連結フランジ２２の各々に対し、例えば鋳造によって一体的に形成してもよいし、溶接によって接合してもよいし、ボルト等の締結具によって固定してもよい。
【００５３】
幾つかの実施形態では、図１及び図２に示すように、複数の支持部４２は、入口フランジ１６と出口フランジ２０とを連結するよう構成された柱状の第１支持部４２ａ、入口フランジ１６と軸受連結フランジ２２とを連結するよう構成された柱状の第２支持部４２ｂ、及び、出口フランジ２０と軸受連結フランジ２２とを連結するよう構成された柱状の第３支持部４２ｃ、のうち、２種以上の支持部４２を含む。図２に示す例示的形態では、複数の支持部４２は、第１支持部４２ａ、第２支持部４２ｂ及び第３支持部４２ｃを含む。
【００５４】
このように、第１支持部４２ａ、第２支持部４２ｂ及び第３支持部４２ｃのうち２種以上の支持部４２によって、入口フランジ１６、出口フランジ２０及び軸受連結フランジ２２を連結することで、タービンハウジング６の剛性を高めるとともに軽量化を実現することができる。
【００５５】
幾つかの実施形態では、図２に示すように、複数の支持部４２は、出口フランジ２０と軸受連結フランジ２２とを連結するよう構成された複数の柱状の第３支持部４２ｃを含み、複数の第３支持部４２ｃは、タービンロータ４の周方向に間隔をあけて配置されている。また、複数の支持部４２は、インナーハウジング１８のスクロール部２８の外周面４０に沿ってタービンロータ４の周方向に延在する複数の柱状の第４支持部４２ｄを含み、第４支持部４２は、互いに隣接する二つの第３支持部４２ｃを連結するように、タービンロータ４の周方向に順に配置されている。また、複数の支持部４２は、複数の第３支持部４２のうち入口フランジ１６に隣接する第３支持部４２ｃと入口フランジ１６とを連結するように、インナーハウジング１８のスクロール部２８の外周面４０に沿って延在する柱状の第５支持部４２ｅを含む。
【００５６】
このように、第１〜第５支持部４２（４２〜４２ｅ）によって入口フランジ１６、出口フランジ２０及び軸受連結フランジ２２を連結することで、タービンハウジング６の剛性を高めるとともに軽量化を実現することができる。
【００５７】
幾つかの実施形態では、図１及び図２に示すタービンハウジング６において、アウターフレーム２４を構成する材料は、インナーハウジング１８を構成する材料よりも耐酸化性及び耐熱性に劣る。例えば、インナーハウジング１８を構成する材料としてオーステナイト系ステンレス鋼等の耐熱鋼を使用し、アウターフレーム２４を構成する材料としてインナーハウジング１８の構成材料よりもニッケル含有量の低いステンレス鋼、アルミニウム、又は樹脂等の耐熱性の低い材料を使用してもよい。
【００５８】
複数の支持部４２を含むアウターフレーム２４はインナーハウジング１８の外側に設けられていてインナーハウジング１８の内側を通る高温の排ガスに直接触れないため、上記のようにインナーハウジング１８を構成する材料よりも耐酸化性に劣る低級材をアウターフレーム２４に使用しても、アウターフレーム２４の腐食は生じにくい。したがって、タービンハウジング６に要求される性能を満たしつつタービンハウジング６の低コスト化を実現することができる。
【００５９】
次に、図３〜図５を用いてターボチャージャ２の幾つかの変形例について説明する。図３は、一実施形態に係るターボチャージャ２（２Ｂ）の回転軸線Ｏに沿った模式的な概略断面図である。図４は、一実施形態に係るターボチャージャ２（２Ｃ）の回転軸線Ｏに沿った模式的な概略断面図である。図５は、一実施形態に係るターボチャージャ２（２Ｄ）の回転軸線Ｏに沿った模式的な概略断面図である。
【００６０】
以下で説明するターボチャージャ２（２Ｂ〜２Ｄ）は、上述したターボチャージャ２（２Ａ）と基本的構成は同様であるが、タービンハウジング６が更なる付加的構成を有する点が異なる。以下の変形例では、ターボチャージャ２（２Ａ）の各構成と同様の構成については同一の符号を付して説明を省略し、各変形例の特徴的な構成を中心に説明する。
【００６１】
幾つかの実施形態では、図３に示すように、タービンハウジング６は、インナーハウジング１８の外周面４０に沿って配置された断熱部４４を備える。
【００６２】
インナーハウジング１８は、高温の排ガスによって短時間で昇温するため、インナーハウジング１８から外部への輻射熱の熱量は大きくなりやすい。そこで、上記のように、インナーハウジング１８の外周面４０に沿って配置された断熱部４４を設けることにより、輻射熱に起因するタービン性能の低下を抑制することができる。また、アウターフレーム２４とともに断熱部４４を設けることで、断熱部４４の形状や剛性の自由度が高くなり、断熱部４４の施工が容易となる。
【００６３】
幾つかの実施形態では、図３に示す構成において、断熱部４４はステンレス又はアルミニウム等の金属製のシート材を含む。かかる構成によれば、インナーハウジング１８の外周面４０の広い範囲をシート材によって容易に覆うことができ、インナーハウジング１８からの輻射熱を効果的に断熱することができる。
【００６４】
幾つかの実施形態では、図３に示す構成において、断熱部４４は、セラミックファイバー等の繊維系の断熱材を含む。かかる構成によれば、繊維系の断熱材が内部に空気を含むため、重量の増大を抑制しつつインナーハウジング１８からの輻射熱を効果的に断熱することができる。
【００６５】
幾つかの実施形態では、図４に示すように、タービンハウジング６は、インナーハウジング１８のスクロール部２８の少なくとも一部を覆うように構成された防護壁部４６を備える。図示する形態では、タービンロータ４の軸方向における防護壁部４６の存在範囲Ｓ１とタービンロータ４の軸方向におけるタービン翼１４の存在範囲Ｓ２とが少なくとも部分的に重複するように、防護壁部４６が設けられている。
【００６６】
かかる構成によれば、スクロール部２８の少なくとも一部を覆う防護壁部４６によって、ターボチャージャ２のコンテイメント性（損傷した内部部品の外部への飛び出しを防止する遮蔽性）を高めることができる。これにより、タービン翼１４がバーストしてもタービン翼１４の破片がタービンハウジング６の外部へ飛び出すことを防止することができる。また、複数の支持部４２と防護壁部４６との併用により、防護壁部４６を必要な部分にのみ設けることができるため、タービンハウジング６の軽量化及び低コスト化を実現することができる。
【００６７】
幾つかの実施形態では、図４に示す構成において、防護壁部４６は、タービンロータ４の周方向における全周に亘ってスクロール部２８を覆うように構成される。
【００６８】
かかる構成によれば、全周に亘ってスクロール部２８を覆う防護壁部４６によって、ターボチャージャ２のコンテイメント性を一層高めることができる。これにより、タービン翼１４がバーストしてもタービン翼１４の破片がタービンハウジング６の外部へ飛び出すことを効果的に防止することができる。
【００６９】
幾つかの実施形態では、図４に示すように、防護壁部４６は支持部４２に支持される。図示する例示的形態では、防護壁部４６は、第２支持部４２ｂに片持ち支持される。
【００７０】
かかる構成によれば、タービン翼１４がバーストしてタービン翼１４の破片が防護壁部４６に衝突した場合に、防護壁部４６が受けた荷重が支持部４２に伝達され、タービン翼１４の破片を防護壁部４６及び支持部４２によって効果的に受け止めることができる。
【００７１】
幾つかの実施形態では、図４に示す構成において、アウターフレーム２４と防護壁部４６とは、同一材料で一体的に形成される。かかる構成によれば、タービンハウジング６の優れた製造性を実現することができる。
【００７２】
幾つかの実施形態では、図５に示すように、タービンハウジング６は、インナーハウジング１８のうちタービンロータ４のタービン翼１４の先端３０に対向するシュラウド部３２をインナーハウジング１８の外側から支持するよう構成されたシュラウド保持部４８を備える。
【００７３】
インナーハウジング１８は板金製で変形しやすいため、高速回転するタービンロータ４のタービン翼１４の先端３０とインナーハウジング１８のシュラウド部３２との接触リスクや、タービン翼１４の先端３０とシュラウド部３２とのクリアランスの増大によるタービン性能の低下リスクがある。そこで、上記のように、インナーハウジング１８の外側から支持するよう構成されたシュラウド保持部４８を設けることにより、インナーハウジング１８のシュラウド部３２の変形を抑制し、上記二つのリスクを低減することができる。
【００７４】
幾つかの実施形態では、図５に示す構成において、シュラウド保持部４８を構成する材料は、アウターフレーム２４を構成する材料よりも高温強度が高い。例えば、シュラウド保持部４８を構成する材料としてオーステナイト系ステンレス鋼等の耐熱鋼を使用し、アウターフレーム２４を構成する材料としてインナーハウジング１８の構成材料よりもニッケル含有量の低いステンレス鋼、アルミニウム、又は樹脂等の耐熱性の低い材料を使用してもよい。
【００７５】
図５に示す構成では、シュラウド保持部４８はインナーハウジング１８の外側からシュラウド部３２を支持するため、高温となるシュラウド部３２からの伝熱の影響を受けやすい。そこで、上記のように、シュラウド保持部４８を構成する材料の高温強度を、アウターフレーム２４を構成する材料の高温強度より高くすることにより、シュラウド保持部４８の熱変形を抑制しつつ、アウターフレーム２４に比較的安価な材料を使用して低コスト化を図ることができる。
【００７６】
幾つかの実施形態では、図５に示すように、シュラウド保持部４８は支持部４２に支持される。図示する例示的形態では、シュラウド保持部４８は、第１支持部４２ａに片持ち支持される。かかる構成によれば、タービンハウジング６の構成を簡素化することができる。
【００７７】
幾つかの実施形態では、図５に示す構成において、複数の支持部４２とシュラウド保持部４８とは、同一材料で一体的に形成される。かかる構成によれば、タービンハウジング６の部品点数を削減するとともにタービンハウジング６の優れた製造性を実現することができる。
【００７８】
図６は、シュラウド保持部４８の構成の一例を示す拡大図である。図７は、シュラウド保持部４８の構成の他の一例を示す拡大図である。
【００７９】
幾つかの実施形態では、図６に示すように、インナーハウジング１８のシュラウド部３２とシュラウド保持部４８との間に断熱部５０を設けて、断熱部５０を構成する材料に、シュラウド保持部４８を構成する材料よりも高温強度が高い材料を使用してもよい。これにより、高温となるシュラウド部３２からの伝熱の影響をシュラウド保持部４８が受けにくくなる。
【００８０】
幾つかの実施形態では、図７に示すように、シュラウド保持部４８のうちシュラウド部３２と当接する部分５２の表面に複数の凸凹形状５４を設けて、シュラウド保持部４８とシュラウド部３２との接触面積が小さくなるよう構成してもよい。これにより、高温となるシュラウド部３２からの伝熱の影響をシュラウド保持部４８が受けにくくなる。
【００８１】
本発明は上述した実施形態に限定されることはなく、上述した実施形態に変形を加えた形態や、これらの形態を適宜組み合わせた形態も含む。
【符号の説明】
【００８２】
２  ターボチャージャ
４  タービンロータ
６  タービンハウジング
８  軸受
１０  軸受ハウジング
１２  ハブ
１４  タービン翼
１６  入口フランジ
１８  インナーハウジング
２０  出口フランジ
２２  軸受連結フランジ
２３  軸受側フランジ
２４  アウターフレーム
２６  入口
２８  スクロール部
３０  先端
３２  シュラウド部
３４  出口
３６  出口側筒状部
３８  締結具
４０  外周面
４２  支持部
４２ａ  第１支持部
４２ｂ  第２支持部
４２ｃ  第３支持部
４２ｄ  第４支持部
４２ｅ  第５支持部
４４  断熱部
４６  防護壁部
４８  シュラウド保持部
５０  断熱部
５２  当接する部分
５４  凸凹形状
【図１】
2018173031.tif 000003
【図２】
2018173031.tif 000004
【図３】
2018173031.tif 000005
【図４】
2018173031.tif 000006
【図５】
2018173031.tif 000007
【図６】
2018173031.tif 000008
【図７】
2018173031.tif 000009